(57)【要約】【課題】作業開始時刻及び作業終了時刻を作業員に自動的に知らしめることができ、線路の閉鎖及び解除を案内することができる線路閉鎖解除支援器を提供すること。【解決手段】鉄道用の線路が一時的に閉鎖されて作業員による作業が行われた後に、前記閉鎖の解除を支援する線路閉鎖解除支援器であって、前記作業員に携行される本体部を備え、前記本体部は、作業開始時刻及び作業終了時刻の入力を受け付ける本体端末から、前記作業開始時刻及び前記作業終了時刻を入力する入力部と、前記入力部によって入力された作業開始時刻及び作業終了時刻を記憶する記憶部と、作業開始又は作業終了を報知する報知部と、前記記憶部に記憶された作業開始時刻及び作業終了時刻のそれぞれに、作業開始又は作業終了を前記報知部に報知させる制御部とを備えることを特徴とする。【選択図】図１
2010023574.tif 000002
【特許請求の範囲】
【請求項１】
鉄道用の線路に対する作業のために、前記線路の閉鎖及びその閉鎖の解除を支援する線路閉鎖解除支援器であって、
作業員に携行される本体部を備え、
前記本体部は、
作業開始時刻及び作業終了時刻の入力を受け付ける本体端末から、前記作業開始時刻及び前記作業終了時刻を入力する入力部と、
前記入力部によって入力された作業開始時刻及び作業終了時刻を記憶する記憶部と、
作業開始又は作業終了を報知する報知部と、
前記記憶部に記憶された作業開始時刻及び作業終了時刻のそれぞれに、作業開始又は作業終了を前記報知部に報知させる制御部とを備えることを特徴とする線路閉鎖解除支援器。
【請求項２】
前記本体部に、報知確認の指示を受け付ける報知確認操作部が設けられており、
前記制御部は、前記報知確認操作部から出力された報知確認信号に基づいて、前記作業開始又は前記作業終了を前記報知部に報知させることを特徴とする請求項１に記載の線路閉鎖解除支援器。
【請求項３】
前記本体部に、前記報知部による報知を解除するための解除の指示を受け付ける解除指示操作部が設けられており、
前記制御部は、前記解除指示操作部から出力された解除指示信号に基づいて、前記報知部による報知を停止することを特徴とする請求項１又は請求項２に記載の線路閉鎖解除支援器。
【請求項４】
前記本体部に、現在時刻確認の指示を受け付ける現在時刻確認操作部が設けられており、
前記制御部は、前記現在時刻確認操作部から出力された現在時刻確認信号に基づいて、前記現在時刻を前記報知部に報知させることを特徴とする請求項１から請求項３のいずれか一項に記載の線路閉鎖解除支援器。
【請求項５】
電力を供給する電力供給部と、
前記電力供給部に蓄電された電力を検出する検出部と、
警報を発する警報部とを備え、
前記制御部は、前記検出部によって検出された電力が閾値よりも小さい場合に、前記警報部を駆動することを特徴とする請求項１から請求項４のいずれか一項に記載の線路閉鎖解除支援器。
【発明の詳細な説明】
【技術分野】
【０００１】
本発明は、鉄道用線路の閉鎖の解除を支援する線路閉鎖解除支援器に関する。
【背景技術】
【０００２】
従来、鉄道用の線路の保守作業などを行う場合に、種々の線路保守作業支援システムが利用されている（例えば、特許文献１参照。）。
ところで、このような保守作業を行う場合、作業中に列車が通過しないように、該当線路を一時的に閉鎖する必要がある。すなわち、あらかじめ定められた作業開始時刻になると、線路を閉鎖して保守作業を開始し、さらに、あらかじめ定められた作業終了時刻になると、保守作業を終了し、線路の閉鎖を解除して、列車が走行できるような状態に戻す。
これにより、列車が通過しない状態で、線路の保守作業を行うことができる。
【特許文献１】特開２００２−１３２８８１号公報
【発明の開示】
【発明が解決しようとする課題】
【０００３】
しかしながら、上記のような保守作業は、特に夜間に行われることも多く、また、場所によっては閉鎖区域の数も多くなるため、作業員が、作業開始時刻又は作業終了時刻になったことに気付かなかったり、線路の閉鎖や解除を失念したりする場合もあり得る。
【０００４】
本発明は、このような事情に鑑みてなされたものであって、作業開始時刻及び作業終了時刻を作業員に自動的に知らしめることができ、線路の閉鎖及び解除を案内することができる線路閉鎖解除支援器を提供することを目的とする。
【課題を解決するための手段】
【０００５】
上記課題を解決するために、本発明は以下の手段を提供する。
本発明は、鉄道用の線路に対する作業のために、前記線路の閉鎖及びその閉鎖の解除を支援する線路閉鎖解除支援器であって、作業員に携行される本体部を備え、前記本体部は、作業開始時刻及び作業終了時刻の入力を受け付ける本体端末から、前記作業開始時刻及び前記作業終了時刻を入力する入力部と、前記入力部によって入力された作業開始時刻及び作業終了時刻を記憶する記憶部と、作業開始又は作業終了を報知する報知部と、前記記憶部に記憶された作業開始時刻及び作業終了時刻のそれぞれに、作業開始又は作業終了を前記報知部に報知させる制御部とを備えることを特徴とする。
【０００６】
また、本発明は、前記本体部に、報知確認の指示を受け付ける報知確認操作部が設けられており、前記制御部は、前記報知確認操作部から出力された報知確認信号に基づいて、前記作業開始又は前記作業終了を前記報知部に報知させることを特徴とする。
【０００７】
また、本発明は、前記本体部に、前記報知部による報知を解除するための解除の指示を受け付ける解除指示操作部が設けられており、前記制御部は、前記解除指示操作部から出力された解除指示信号に基づいて、前記報知部による報知を停止することを特徴とする。
【０００８】
また、本発明は、前記本体部に、現在時刻確認の指示を受け付ける現在時刻確認操作部が設けられており、前記制御部は、前記現在時刻確認操作部から出力された現在時刻確認信号に基づいて、前記現在時刻を前記報知部に報知させることを特徴とする。
【０００９】
また、本発明は、電力を供給する電力供給部と、前記電力供給部に蓄電された電力を検出する検出部と、警報を発する警報部とを備え、前記制御部は、前記検出部によって検出された電力が閾値よりも小さい場合に、前記警報部を駆動することを特徴とする。
【発明の効果】
【００１０】
本発明によれば、制御部が、作業開始又は作業終了を報知部に報知させることから、作業開始時刻及び作業終了時刻を作業員に自動的に知らしめることができ、線路の閉鎖及び解除を案内することができる。
【発明を実施するための最良の形態】
【００１１】
（実施形態）
以下、本発明の実施形態における線路閉鎖解除支援器について、図面を参照して説明する。
図１及び図２は、本発明の実施形態としての線路閉鎖解除支援器を示したものである。
線路閉鎖解除支援器１は、直方体形状の本体部２を備えている。
この本体部２は、作業員などに携行されるものである。
本体部２の上面には、複数の貫通孔３が形成されている。これら貫通孔３の内方には、不図示のスピーカが配置されている。
本体部２の前面には、操作者からの各種操作を受け付ける操作部２３が設けられている。操作部２３は、操作者からの放送確認（報知確認）の指示を受け付ける放送確認ボタン（報知確認操作部、現在時刻確認操作部）２３ａと、放送を解除するための操作者からの解除の指示を受け付ける解除指示ボタン（解除指示操作部、現在時刻確認操作部）２３ｂとを備えている。
【００１２】
放送確認ボタン２３ａは、押下されることにより、放送確認信号（報知確認信号）を出力する。
解除指示ボタン２３ｂは、押下されることにより、解除指示信号を出力する。
また、放送確認ボタン２３ａと解除指示ボタン２３ｂとは、同時に押下されることにより、現在時刻確認信号を出力する。すなわち、放送確認ボタン２３ａ及び解除指示ボタン２３ｂは、操作者からの現在時刻確認の指示を受け付ける現在時刻確認操作部として機能する。
なお、符号５は、電源スイッチを示している。
【００１３】
また、図３に示すように、本体部２には、機器全体を制御する制御部２１と、種々の情報を記憶する記憶部２２と、操作部２３と、音声を発音する発音部（報知部）２４と、外部機器からの情報を入力する入力部２５とが内蔵されている。また、本体部２には、警報を発する警報部２６と、制御部２１に電力を供給するバッテリ（電力供給部）２７と、このバッテリ２７に蓄電された電力を検出する検出部２８とを備えている。
【００１４】
入力部２５は、例えばＵＳＢなどを介して本体端末（パソコン）に着脱可能に接続されるようになっている。そして、入力部２５は、本体端末に接続された状態で、本体端末から出力された登録時刻、作業開始時刻及び作業終了時刻を取り込み、制御部２１に出力する。
記憶部２２は、作業開始時刻及び作業終了時刻、並びに、作業開始メッセージ及び作業終了メッセージなどを記憶する。
操作部２３は、上述したとおり、放送確認信号、解除指示信号及び現在時刻確認信号を制御部２１に出力する。
発音部２４は、不図示のスピーカなどを備えている。そして、発音部２４は、制御部２１からの発音指示信号に基づいて、作業開始メッセージ及び作業終了メッセージを、スピーカを介して発音する。また、発音部２４は、制御部２１からの現在時刻指示信号に基づいて、スピーカを介して現在時刻を発音する。
【００１５】
警報部２６は、不図示のスピーカなどを備えている。そして、警報部２６は、制御部２１からの警報指示信号に基づいて、スピーカを介して警報音を発音する。
検出部２８は、制御部２１からの検出指示信号に基づいて、バッテリ２７に蓄電された電力量を検出し、検出結果を検出信号として制御部２１に出力する。
制御部２１は、所定の時刻になると、記憶部２２に記憶された作業開始メッセージ及び作業終了メッセージを、発音部２４を介して発音させる。また、制御部２１は、検出部２８の検出結果に応じて、警報部２６を駆動する。
【００１６】
次に、このように構成された本実施形態における線路閉鎖解除支援器１の動作について説明する。
まず、操作者は、本体端末と線路閉鎖解除支援器１とを、ＵＳＢを介して接続する。
そして、操作者は、本体端末に必要な情報を入力する。
図４は、本体端末の画面例を示す説明図である。
操作者は、キーボード及びマウスなどを介して、作業の種類を示す作業番号（作業識別情報）Ｈ１を入力し、放送種別Ｈ２を選択する。なお、放送種別Ｈ２のうち、「線閉」とは、線路閉鎖を示している。ここでは、線路閉鎖のための放送が選択される。
【００１７】
そして、操作者は、作業開始時刻を示す着手時刻Ｈ３と、放送繰り返し回数Ｈ４とを入力する。さらに、操作者は、作業終了時刻を示す解除時刻Ｈ５及び放送時刻Ｈ６と、放送繰り返し回数Ｈ７とを入力する。
なお、放送繰り返し回数Ｈ４，Ｈ７及び放送時刻Ｈ６は、所望の値に適宜変更可能である。
すべての入力が終わると、操作者は、決定ボタンをクリックして入力を終了する。
これにより、本体端末は、作業開始時刻、作業終了時刻（解除時刻及び放送時刻を含む）及び登録時刻を出力する。なお、登録時刻とは、本体端末に内蔵された計時部による現在時刻を示す。
【００１８】
図５及び図６は、線路閉鎖解除支援器１の制御部２１の動作を示すフローチャートである。
制御部２１は、本体端末から出力された作業開始時刻、作業終了時刻及び登録時刻を、入力部２５を介して読み出し、記憶部２２に記憶する（ステップＳ１）。そして、制御部２１は、支援器として正常に機能するか否かを判定する（ステップＳ２）。すなわち、制御部２１は、主として以下の２つについて判定する。
１）記憶部２２に記憶された作業開始時刻及び作業終了時刻を読み出し、正常に読み出すことができるかどうかの判定。
２）バッテリ２７に蓄電された電力は、あらかじめ設定された閾値以上であるかどうかの判定。
なお、上記２）に関して、まず制御部２１は、検出部２８に検出指示信号を出力する。検出部２８は、その検出指示信号を受けて、バッテリ２７に蓄電された電力量を検出し、検出結果を制御部２１に出力する。制御部２１は、その検出結果を読み出し、電力が記憶部２２にあらかじめ記憶された閾値以上であるか否かを判定する。閾値について、制御部２１は、現在時刻から最も遅い作業終了時刻までの時間を算出し、その時間まで電力を供給することができる値に設定して、記憶部２２に記憶する。なお、電力が閾値以上である場合を正常とする。
【００１９】
さて、制御部２１は、上記１）、２）の少なくともいずれか一方が異常であると判定すると（ステップＳ２：ＮＯ）、警報部２６を駆動する（ステップＳ３）。これにより、スピーカから警報音が発音され、異常があることを操作者に報知する。そして、操作者は、警告音を聴くことにより、異常があることを認識し、本体端末からのデータの再転送や、バッテリの交換などを行う。
一方、制御部２１は、上記１）、２）のいずれも正常であると判定すると（ステップＳ２：ＹＥＳ）、不図示の計時部から現在時刻を読み出し、その現在時刻と登録時刻とが一致するか否かを判定する（ステップＳ４）。そして、制御部２１は、現在時刻と登録時刻とが一致していないと判定すると（ステップＳ４：ＮＯ）、登録時刻を現在時刻として計時部の時刻を更新する。これにより、計時部は、登録時刻を基準として、新たに時刻をカウントする。そのため、本体端末から線路閉鎖解除支援器１がデータを取り込むたびに、線路閉鎖解除支援器１内の時刻を本体端末内の時刻に合わせることができる。
【００２０】
この状態で、操作者は、本体端末と線路閉鎖解除支援器１との接続を解除する。そして、作業員が、線路閉鎖解除支援器１を携行して、作業現場に持っていく。
この線路閉鎖解除支援器１は、作業現場の所望の位置に設置される。
このように、作業現場に設置された状態で、制御部２１は、ステップＳ４において、現在時刻と登録時刻とが一致していると判定し（ステップＳ４：ＹＥＳ）、または、ステップＳ５の処理の後、計時部から読み出した現在時刻と、記憶部２２に記憶された作業開始時刻とが一致したか否かを判定する（ステップＳ６）。制御部２１は、それら現在時刻と作業開始時刻とが一致していないと判定すると（ステップＳ６：ＮＯ）、再び現在時刻と作業開始時刻とを読み出して処理を繰り返す。一方、制御部２１は、現在時刻と作業開始時刻とが一致したと判定すると（ステップＳ６：ＹＥＳ）、記憶部２２に記憶された作業開始メッセージを読み出し、発音部２４を介して、作業開始メッセージを発音する（ステップＳ７）。これにより、例えば、「０１時３０分  作業番号１２３４  線閉着手時間です。」と発音され、作業開始時刻になったことが作業員に報知される。
次いで、制御部２１は、操作部２３の出力を読み出し、操作部２３から解除指示信号が出力されたか否かを判定する（ステップＳ８）。制御部２１は、解除指示信号が出力されていないと判定すると（ステップＳ８：ＮＯ）、ステップＳ７に戻って処理を繰り返す。なお、制御部２１は、記憶部２２に記憶された放送繰り返し回数分、ステップＳ７，８の処理を繰り返す。
【００２１】
ここで、作業員は、作業開始メッセージを認識すると、解除指示ボタン２３ｂを押す。そして、線路を封鎖して、補修作業等を行う。
上記のように、作業員によって解除指示ボタン２３ｂが押されると、操作部２３が解除指示信号を出力する。制御部２１は、操作部２３の出力を読み出して、解除指示信号が出力されたと判定すると（ステップＳ８：ＹＥＳ）、現在時刻と、記憶部２２に記憶された作業終了時刻（ここでは、放送時刻）とを読み出し、それら現在時刻と作業終了時刻とが一致したか否かを判定する（ステップＳ９）。制御部２１は、両時刻が一致していないと判定すると（ステップＳ９：ＮＯ）、再度、現在時刻と作業終了時刻とを読み出して、処理を繰り返す。一方、制御部２１は、両時刻が一致したと判定すると（ステップＳ９：ＹＥＳ）、記憶部２２に記憶された作業終了メッセージを読み出して、発音部２４を介して、その作業終了メッセージを発音する（ステップＳ１０）。これにより、例えば、「０３時３０分  作業番号１２３４  線閉解除時間です。」と発音され、作業終了時刻になったことが作業員に報知される。
【００２２】
そして、制御部２１は、操作部２３から解除指示信号が出力されたか否かを判定し（ステップＳ１１）、出力されていないと判定すると（ステップＳ１１：ＮＯ）、ステップ１０に戻って処理を繰り返す。制御部２１は、記憶部２２に記憶された放送繰り返し回数分、ステップＳ７，８の処理を繰り返す。
なお、作業員は、作業終了メッセージを認識すると、解除指示ボタン２３ｂを押す。そして、補修作業を完了して、線路の封鎖を解除する。
上記のように、作業員によって解除指示ボタン２３ｂが押されると、操作部２３が解除指示信号を出力する。制御部２１は、操作部２３の出力を読み出して、解除指示信号が出力されたと判定すると（ステップＳ１１：ＹＥＳ）、処理を終了する。
【００２３】
なお、本体端末から線路閉鎖解除支援器１に上記データを取り込んだ状態で、各種ボタンが押されると、以下のように動作する。
まず、放送確認ボタン２３ａが操作者によって押されると、放送確認ボタン２３ａは、制御部２１に放送確認信号を出力する。制御部２１は、その放送確認信号を読み出すと、発音部２４を介して、作業開始メッセージ及び作業終了メッセージを順次発音する。
また、放送確認ボタン２３ａと解除指示ボタン２３ｂとが操作者によって同時に押されると、放送確認ボタン２３ａ及び解除指示ボタン２３ｂは、制御部２１に現在時刻確認信号を出力する。制御部２１は、その現在時刻確認信号を読み出すと、発音部を介して、現在時刻を発音する。
【００２４】
以上より、本実施形態における線路閉鎖解除支援器１によれば、作業開始時刻及び作業終了時刻なると、制御部２１が、作業開始メッセージ又は作業終了メッセージを、発音部２４を介して発音することから、作業開始時刻及び作業終了時刻を作業員に自動的に知らしめることができ、線路の閉鎖及び解除を案内することができる。
また、放送確認ボタン２３ａが操作者によって押されると、作業開始メッセージ及び作業終了メッセージが発音されることから、任意のタイミングで、作業開始時刻及び作業終了時刻を作業員に確認させることができる。
【００２５】
また、解除指示ボタン２３ｂが操作者によって押されると、作業開始メッセージ及び作業終了メッセージの発音が停止されることから、作業員が作業開始時刻及び作業終了時刻になったことを認識するまで、それらメッセージが発音されることにより、作業開始時刻及び作業終了時刻を作業員に確実に知らしめることができる。
また、放送確認ボタン２３ａと解除指示ボタン２３ｂとが操作者によって同時に押されると、現在時刻が発音されることから、線路閉鎖解除支援器１が正常に動作していることや、現在時刻などを作業員が確認することができる。
また、バッテリ２７の電力を検出し、その電力が閾値よりも小さいと、警報が発せられることから、作業途中でバッテリ２７の電力がなくなったりすることなく、作業開始メッセージ及び作業終了メッセージを確実に発音させることができる。
【００２６】
なお、上記実施形態においては、記憶部２２に記憶された放送繰り返し回数分、ステップＳ７，８の処理を繰り返すとしたが、これに限ることはなく、これらの処理は適宜変更可能である。例えば、解除指示ボタン２３ｂが押されない場合、登録回数分の放送終了後、所定時間（例えば１分）経過するたびに、再度、登録回数分、発音するようにしてもよい。そして、制御部２１は、解除指示ボタン２３ｂが押されるまで、その処理を繰り返してもよい。
また、警報としては、警報音に限ることはなく、音声、振動、光などによる警報でもよい。
また、線路閉鎖解除支援器１においては、作業件数を複数件分登録することが可能であり、それぞれの作業開始時刻及び作業終了時刻になると、作業番号を含むメッセージを発音する。これにより、作業の種類と作用開始及び作業終了とを作業員に知らしめることができる。
なお、本発明の技術範囲は上記の実施形態に限定されるものではなく、本発明の趣旨を逸脱しない範囲において、種々の変更を加えることが可能である。
【図面の簡単な説明】
【００２７】
【図１】本発明に係る線路閉鎖解除支援器の実施形態を示す斜視図である。
【図２】図１の本体部の前面を拡大して示す説明図である。
【図３】線路閉鎖解除支援器を機能ごとに示すブロック図である。
【図４】本体端末の入力画面例を示す説明図である。
【図５】制御部の動作を示すフローチャートである。
【図６】制御部の動作を示すフローチャートである。
【符号の説明】
【００２８】
１    線路閉鎖解除支援器
２    本体部
２１  制御部
２２  記憶部
２３ａ  放送確認ボタン（報知確認操作部、現在時刻確認操作部）
２３ｂ  解除指示ボタン（解除指示操作部、現在時刻確認操作部）
２４  発音部（報知部）
２５  入力部
２６  警報部
２７  バッテリ（電力供給部）
２８  検出部
【図１】
2010023574.tif 000003
【図２】
2010023574.tif 000004
【図３】
2010023574.tif 000005
【図４】
2010023574.tif 000006
【図５】
2010023574.tif 000007
【図６】
2010023574.tif 000008